(57)【特許請求の範囲】
【請求項１】
病院の依頼科別であって、被検者の部位及び症例、検査目的に応じて定めたＸ線ＣＴ撮影条件のプロトコルを設定登録したＤＢ部と、
被検者対応の、検査依頼科、被検者の部位及び症例、検査目的を含む検査依頼表データを入力する手段と、
この入力された検査依頼表データの検査依頼科、被検者の部位及び症例、検査目的に対応するＸ線ＣＴ撮影条件のプロトコルを上記ＤＢ部から検索し、その検索結果を読出す手段と、
を具えたＸ線ＣＴ装置。
【請求項２】
更に、この読出されたＸ線ＣＴ撮影条件のプロトコルに従ってＸ線ＣＴ撮影を実行する手段と、
前記実行されたＸ線ＣＴ撮影時の検査情報、検査終了後の診断記録情報を前記ＤＢ部に記録する手段と、
を具える請求項１記載のＸ線ＣＴ装置。
【請求項３】
上記読出した検索結果であるＸ線ＣＴ条件のプロトコルを表示する手段と、表示したＸ線ＣＴ撮影条件のプロトコルが変更されたときにこの変更後のＸ線ＣＴ撮影条件のプロトコルを上記ＤＢ部に登録させる手段と、を具える請求項１又は２のいずれかに記載のＸ線ＣＴ装置。
【発明の詳細な説明】
【技術分野】
【０００１】
本発明は、病院の依頼科対応のＣＴ検査を実現するＸ線ＣＴ装置に関する。
【背景技術】
【０００２】
Ｘ線ＣＴ装置は、事前に定めた撮影条件によって撮影を行う。撮影条件は、撮影目的・撮影部位、症例、体格、体質等によって定まり、そのパラメータには、スキャン時間、スライス幅、有効視野（ＦＯＶ）、管電圧、管電流等がある。
撮影時に医者の指示によって撮影条件を定める例が多いが、最近では事前に撮影条件をプロトコル化しておき、被験者や撮影目的に応じて適切なプロトコルを選択し撮影を行い、撮影の効率化、適正化、迅速化、操作者の負担の軽減をはかるようになってきている。
プロトコルの例には、通常（一般）プロトコルと、救急などの緊急用プロトコルとが知られている。特許文献１がその例である。特に、この文献１は、緊急用プロトコルを提案しており、例えば診断時間外（夜間や休日）での、装置電源が切られ、専任の操作者もいないなどの緊急（救急）時の撮影条件プロトコルを開示する。
【特許文献１】特許第３１９１２２１号特許公報
【発明の開示】
【発明が解決しようとする課題】
【０００３】
医療技術の進歩、診断能力の向上等と共に診療や治療する専門科が増加している。大病院では、数１０の科も出現している。かかる専門科の増加に伴って撮影条件も、種類及び内容的にも多岐にわたり、より複雑化しつつある。従って、従来の通常プロトコルや緊急プロトコルだけでは、こうした専門科の増大に伴っての迅速化、適正化、効率化、負担の軽減を達成できない。
本発明の目的は、多くの専門科の撮影条件を迅速、適正、効率的に設定可能なＸ線ＣＴ撮影を提供するものである。
【課題を解決するための手段】
【０００４】
本発明は、病院の依頼科別であって、被験者の部位・症例・検査目的に応じて定めたＸ線ＣＴ撮影条件のプロトコルを設定登録したＤＢ部と、
被験者対応の、検査依頼科、被験者の部位・症例・検査目的を含む検査依頼表データを入力する手段と、
この入力された検査依頼表データの検査依頼科、被験者の部位・症例・検査目的に対応するＸ線ＣＴ撮影条件プロトコルを上記ＤＢ部から検索し、その検索結果を読出す手段と、
この読出されたプロトコルに従ってＸ線ＣＴ撮影を実行する手段と、
前記実行されたＸ線ＣＴ撮影時の検査情報、検査終了後の診断記録情報を前記ＤＢ部に記録する手段と、
を具えるＸ線ＣＴ装置を開示する。
【発明の効果】
【０００５】
本発明によれば、多くの専門科の撮影条件を迅速、適正、効率的に設定できる。
【発明を実施するための最良の形態】
【０００６】
図１は、本発明のＸ線ＣＴ装置の全体構成の一例を示す図である。このＸ線ＣＴ装置は、画像処理ユニット１、専門科対応のパソコン系２、ＣＴ撮影系３、より成る。
画像処理ユニット１は、画像処理装置１０、コンソール１４、表示装置１３より成り、更に画像処理装置１０はプロトコルデータベース（ＤＢ）部１２、検査実施情報ＤＢ及び画像の記憶部１１、入出力部１５を持つ。
パソコン系２は、専門科毎に設置されているだけではなく、専門科の中の細分化された担当医対応毎にも設置されたものであり、通常はこれらの複数のパソコン系２がネットワーク化されてつながっている。パソコン系２は、クライアントＰＣ２０、検査依頼ＤＢ部２１を持つ。
【０００７】
ＣＴ撮影系３は、実際の撮影のハードウェアを示しており、Ｘ線制御ユニット３０、スキャンユニット３１を持つ。スキャンユニット３１は、スキャナ本体３１１とテーブル３１０とを持つ。
【０００８】
画像処理ユニット１は、撮影を実施する場所又はその近くにあり、画像処理装置１０では、検査実施情報、撮影画像を記憶部１１に保存記憶する。更にプロトコルＤＢ部１２は、撮影条件のプロトコルをデータとして持つ。コンソール１４は、スキャン操作用である。ディスプレイ部１３はプロトコルの設定、登録、読出し等の指示及び画像処理の各種指示に使うと共に、操作画面の表示、プロトコルの表示、画像の表示等を行う。入出力部１５は、コンソール１４の指示のもとに得られたプロトコルに従った撮影条件データ１５Ａ、１５Ｂの出力、及び撮影データ３１Ａの取込みを行う。撮影条件データ１５ＡはＸ線制御ユニット３０への管電流、管電圧等の操作データであり、撮影条件データ１５Ｂはスキャナ本体３１１及びベッド３１０への操作データ（スキャン時間、スライス幅等）である。更に、撮影で得た計測データは、撮影データ３１Ａとして入出力部１５を介して、画像処理装置１０に取り込まれ、前処理や再構成処理され、ＤＢ部１１に格納され、或いはディスプレイ部１３に表示される。
【０００９】
パソコン系２は、Ｘ線撮影の依頼元にあり、パソコン２０によって検査依頼データベース（ＤＢ）部２１に検査依頼データを格納すると共に、検査実施情報の検索、検査実施情報検索結果（撮影条件、画像）、検査依頼表を作成し、必要に応じてそれを画像処理ユニット１０のＤＢ部１１へと送る。
【００１０】
図２は、プロトコルＤＢ部２１の構築から検査実施までの処理フローを示す。図でプロトコルＤＢの構築処理Ｓ１では、検査依頼情報をもとに撮影条件候補となる撮影条件プロトコルＤＢの作成を行い、プロトコルＤＢ部１２に蓄積する。検査の依頼処理Ｓ２は、患者の検査依頼情報、撮影条件及び画像をもとに検査依頼項目を選択・設定し、検査依頼表を作成する。検査の実施処理Ｓ３は、上記検査依頼表をもとに、撮影条件候補を検索・設定し、撮影を実施し、併せてそのときの撮影条件及び検査実施情報を登録する。
【００１１】
ここで、処理Ｓ１は、画像処理ユニット１の画像処理装置１０とコンソール１４とディスプレイ部１３とを利用して行う。これとは別に、パソコン系２からの支援を受けて、パソコン系２と画像処理ユニット１との協同により作成することもある。処理Ｓ２はパソコン系２による処理である。処理Ｓ３は、画像処理ユニット２と撮影系３との処理である。
【００１２】
図３は、処理Ｓ１の詳細例図である。処理Ｓ１は、処理Ｓ１０１〜処理Ｓ１１０から成る。図４は処理用の表示画面を示す。
処理Ｓ１０１は、依頼情報（依頼元、部位、症例、目的）の各項目をリストから選択し、設定することである。これを図４の画面５０１に示す。依頼元とは、外科とか内科とかの専門科であり、部位とは肝臓、膵臓、…であり、症例とは肝臓癌、…であり、目的とはその所見、…である。
【００１３】
処理Ｓ１０２は、依頼情報に対し既存のプロトコルＤＢをＤＢ部１２から検索し、撮影条件候補があるか否かをチェックする。撮影条件候補があれば、それをディスプレイ部１３に表示（Ｓ１０３）する。一方、撮影条件候補がなければ、撮影条件設定用フォーマットを表示する（Ｓ１０４）。処理Ｓ１０５では撮影条件の各項目をリストから選択し、設定する。表示例を図４の画面５０２に示す。
以上の設定の後で、処理Ｓ１０６では、図４に示す登録ボタン５０３を押して（クリックして）、プロトコルをＤＢ部１２に登録する。更新（Ｓ１０７）の場合は、上書き保存の確認を行なう（Ｓ１０８）。新規の場合又は上書き実行の場合はそのまま保存する（Ｓ１０９）。終了処理Ｓ１１０では、図４の終了ボタン５０４をクリックする。
【００１４】
図５は、図２の検査依頼処理Ｓ２の詳細例を示す。この処理は、図６に示す画面を利用しての、検査依頼表作成（ＵＩ）を目的とする。
【００１５】
図６で検査実施情報検索画面６０１を表示し、この画面上で患者情報（ＩＤ，患者名等）を入力する（Ｓ２０１）。検索ボタン６０２をクリックし（Ｓ２０２）、検査実施情報履歴ＤＢの記憶部１１を検索（Ｓ２０３）する。検索の結果、既に検査を実施（Ｓ２０４）していれば画面６０３に、検査実施情報（日付、依頼科、部位、症例、目的、…）の具体例を表示する（Ｓ２０５）。この具体例の中からどれか１つを選択（例えば１月１０日付とか）すると、そのときの撮影条件履歴を画面６０４に表示する（Ｓ２０６）。図では、「１２０ＫＶ、２００ｍＡ、１５スキャン数、０．８ｓｅｃスキャン時間、…」の例である。更に、サムネイル画像等の画像を画面６０５に表示（Ｓ２０７）する。
【００１６】
図５のステップＳ２０８では、画面６０４の撮影条件履歴から、今回の検査に最適な検査依頼項目（依頼科、部位、症例、目的等）表を予めＤＢ部２１に登録されていたリスト６０６から選択・設定する。この後で送信ボタン６０７をクリックすることで、この検査依頼表を画像処理ユニット１へ送信する（Ｓ２０９）。かくして検査依頼処理が終了する。
【００１７】
図７は、図２の検査依頼処理Ｓ３の詳細例を示す。この処理は、図８に示す撮影条件設定画面上で行う。先ず画面７０１の患者情報（ＩＤ、患者名）を入力（Ｓ３０１）する。次に読込みボタン７０２をクリックする。これにより記憶部１１を検索して検査依頼表を読込む（Ｓ３０２）。かくして得た依頼検査項目を画面７０３に検査依頼情報として表示する（Ｓ３０３）。
【００１８】
更に、記憶部１１の実施情報履歴ＤＢを検索し（Ｓ３０４）、検査を実施していれば、検査実施情報表示領域７０４に履歴（日付、依頼科、部位、症例、目的、…）を表示する（Ｓ３０５）。検査実施なしであれば、素Ｓ３０８へ飛ぶ。
画面７０４の履歴を選択すると、その撮影条件を検出して画面７０５に表示する（Ｓ３０６）。併せてその時に撮影した画像、例えばサムネイル画像も読出されて画面７１１に表示する（Ｓ３０７）。
【００１９】
画面７０３の中の検査依頼項目にチェック７０７を付けて検索ボタン７０８をクリックし（Ｓ３０８）、チェックの付いた項目に関してプロトコルＤＢ１２に対し絞り込み検索を行い（Ｓ３０９）、撮影条件候補７０９を表示する（Ｓ３１０）。プロトコル検索を実施しない場合はプロトコル一覧を表示する（Ｓ３１１）。
【００２０】
画面７０９に表示された撮影条件候補を選択し、設定ボタン７１０をクリックし、撮影条件を設定する（Ｓ３１２）。このとき、撮影条件に変更をかけて設定することも可能にしている。変更されたプロトコルは、新たなプロトコルとしてＤＢ部１２に登録される。
【００２１】
Ｓ３１２で設定された撮影条件にてＸ線ＣＴ撮影を実施し、投影画像を取得する（Ｓ３１４）。この検査実施情報を撮影条件と共に記憶部１１に登録する（Ｓ３１５）。
以上によって、図７の処理を終了する。
【００２２】
図９は、プロトコルＤＢ部の内容例を示す。データ群４００はプロトコルグループ名のデータ群であり、救急用プロトコル、部位名プロトコル、依頼科プロトコルの３区分より成る。
【００２３】
データ群４０１は、本実施例の特徴の１つである依頼科の詳細例であり、外科、内科、小児科、整形外科、…を示す。実際は、例えば外科としても、脳外科、心臓外科等の複数の科があり、総計数１０にも達する例もある。
【００２４】
データ群４０２は、依頼科に対応するプロトコルＤＢ例であり、外科の例として、肝臓癌の症例に対して、術前検査と術後経過観察、…があり、それぞれ異なる撮影条件の例を示してある。この図では撮影条件例は示していないが、図８等に示したと同様のものである。
【図面の簡単な説明】
【００２５】
【図１】本発明のＣＴ装置システムの全体構成例図である。
【図２】本発明のプロトコル構築から検査実施までの全体フローを示す図である。
【図３】図２の処理Ｓ１の詳細フロー例図である。
【図４】処理Ｓ１の実施のための画面を示す。
【図５】図２の処理Ｓ２の詳細フロー例図である。
【図６】処理Ｓ２の実施のための画面を示す。
【図７】図２の処理Ｓ３の詳細フロー例図である。
【図８】処理Ｓ３の実施のための画面を示す。
【図９】プロトコルデータベースの具体例図である。
【符号の説明】
【００２６】
１    画像処理ユニット
２    クライアントパソコン系
３    撮影系
１１    検査実施情報ＤＢ及び画像記憶部
１２    プロトコルデータベース
３１１    ＣＴスキャナ
【図１】
0004740762.tif 000002
【図２】
0004740762.tif 000003
【図３】
0004740762.tif 000004
【図４】
0004740762.tif 000005
【図５】
0004740762.tif 000006
【図６】
0004740762.tif 000007
【図７】
0004740762.tif 000008
【図８】
0004740762.tif 000009
【図９】
0004740762.tif 000010